(57)【特許請求の範囲】
【請求項１】
前面開口を有するハウジングの後壁に設けたバルブと、前記ハウジングの周壁の一部に沿い且つ前記前面開口と同方向に開放する溝部と、前記溝部に嵌着され且つ前記バルブから出射された照明光束の一部を反射するプレート状のリフレクタとを備えた車両用灯具において、
前記リフレクタは、前記溝部に嵌着される嵌着部と、該嵌着部から前記ハウジングの内側に向けて屈曲して前記溝部の端面に当接する座部と、該座部から前記前面開口に向けて延在された反射部と、前記座部から突出された一対の操作用鍔部とを備えていることを特徴とする車両用灯具。
【発明の詳細な説明】
【０００１】
【産業上の利用分野】
本発明は、バルブから出射される照明光束の一部を所定方向に反射させるプレート状のリフレクタとを備えた車両用灯具に関する。
【０００２】
【従来の技術】
従来、例えば、車両用灯具であるリヤコンビネーションランプに組み込まれたテールストップランプには、前面開口を有するハウジングの後壁に、バルブから出射された照明光束の一部を所定方向に反射するプレート状のリフレクタを設けたものが知られている。
【０００３】
このようなプレート状のリフレクタは、ネジ等の固定手段によってハウジングに位置決め固定するか、あるいは、ハウジングに前面開口と同方向に開放するスリットを設け、このスリットにリフレクタの一部を圧入していた。
【０００４】
【発明が解決しようとする課題】
しかしながら、固定手段によってリフレクタを設けた場合には、コストが高騰するばかりでなく、取り付け作業に手間を要するという問題があった。また、リフレクタの一部をスリットに圧入する場合には、単に圧入しただけでは位置決めが困難となるばかりでなく、車体走行時に発生する振動等によってガタが発生してしまうという問題が生じる。しかも、この圧入の際に、リフレクタの反射部を圧入方向に押さえ付けると反射面（ｆ面）が変形する虞があった。
【０００５】
本発明は、安価且つ簡単な構成でありながら、ハウジンクへの組み付け並びに位置決め作業を容易に行い得て、しかも、組み付け作業時の反射部の変形を防止することができる車両用灯具を提供することを目的とする。
【０００６】
【課題を解決するための手段】
上記課題を解決するため、請求項１に記載の発明は、前面開口を有するハウジングの後壁に設けたバルブと、前記ハウジングの周壁の一部に沿い且つ前記前面開口と同方向に開放する溝部と、前記溝部に嵌着され且つ前記バルブから出射された照明光束の一部を反射するプレート状のリフレクタとを備えた車両用灯具において、
前記リフレクタは、前記溝部に嵌着される嵌着部と、該嵌着部から前記ハウジングの内側に屈曲して前記溝部を形成する溝部の端面に当接する座部と、該座部から前記前面開口に向けて延在された反射部と、前記座部から突出された一対の操作用鍔部とを備えていることを特徴とする。
【０００７】
【発明の実施の形態】
以下に、本発明に係わる車両用灯具の発明の実施の形態を図面を参照しつつ説明する。
【０００８】
図１は、例えば、車両用灯具としてのリヤコンビネーションランプＲＬに組み付けられるテールストップランプ１を示したものである。
【０００９】
図１において、１０はテールストップランプ１のハウジング、２０はハウジング１０内に位置したバルブ、３０はハウジング１０に装着したレンズ、４０はプレート状のリフレクタである。
【００１０】
ハウジング１０は、前面開口１０ａを形成する周壁１１と、この周壁１１を立ち上げた後壁１２とを一体に備えている。
【００１１】
後壁１２には、バルブ２０を所定方向に指向させた傾斜状態でソケットを保持するバルブ取付孔１２ａと、バルブ２０から出射された照明光束の一部をレンズ３０に向けて反射するリフレクタ部１２ｂとが形成されている。後壁１２からは周壁１１の一部に沿ってリブ１３が一体に突出形成され、このリブ１３と周壁１１とでハウジング１０の前面開口１０ａと同方向に開放する溝部１４が形成されている。そして、周壁１１の外側先端には、周壁１１に沿って形成されたレンズ３０の係合部１１ａが形成されている。
【００１２】
レンズ３０は、リヤコンビネーションランプＲＬのレンズ本体３１に保持されており、ハウジング１０の前面開口１０ａを覆っている。レンズ本体３１の脚部３１ａは、係合部１１ａの係合溝１１ｂに係合しており、これにより、レンズ３０がレンス本体３１を介してハウジンク１０に保持されている。なお、係合溝１１ｂには、レンズ脚部３１ａが当接するホットメルト材料等のシール材Ｓが充填されている。
【００１３】
リフレクタ４０は、図２に示すように、ハウジング１０内の溝部１４に嵌着する嵌着部４１と、この嵌着部４１からハウジング１０の内側に屈曲してリブ１３の先端部１３ａに当接する座部４２と、この座部４２からハウジング１０内の前面開口に向けて延在されたｆ曲面の反射部４３と、座部４２から突出された一対の操作用鍔部４４とを一体に備えている。
【００１４】
嵌着部４１は、図２（ａ）に示すように、ハウジング１０の溝部１４からの抜けを防止するように溝部１４の一方の内壁（リブ１３側）に係合する切り起こし状の一対の抜止片４１ａと、溝部１４の他方の内壁（周壁１１側）に圧接するように突出した一対の突起座４１ｂと、嵌着部４１と座部４２とに跨る一対の補強凹部４１ｃとを形成している。
【００１５】
また、嵌着部４１は、溝部１４の幅方向（紙面の奥行き方向）に沿って湾曲している。この嵌着部４１の湾曲による溝部１４の全体幅Ｌ１（図２（ｃ）参照）は周壁１１とリブ１３との対向間隔Ｌ２（図１参照）より大きく設定している。抜止片４１ａは、嵌着部４１の先端側の両側縁に位置し、図２（ｃ）に示すように、反射部４３側に先端が向くように略三角形状に切り起こしている。従って、この三角形状の頂点（先端）Ｃがハウジング１０の溝部１４を形成するリブ１３内側に引っかかることで抜け止め作用を発する。また、突起座４１ｂは、図３に示すように、ハウジング１０の周壁１１側に盛り上がった半円形状となっている。突起座４１ｂの先端がハウジング１０の周壁１１に当接するようになっている。そして、一対の補強凹部４１ｃは、図３に示すように、突起座４１ｂと反対のハウジング１０の内側に略三角形状に凹んでいる。
【００１６】
座部４２は、図２（ｂ）に示すように、その座面を略鼓面状とし、座部４２と反射部４３とに跨る一対の補強凹部４２ａを形成している。一対の補強凹部４２ａは、嵌着部４１の補強凹部４１ｃより内側に位置し、図３に示すように、補強凹部４１ｃと反対のハウジング１０の周壁１３側に略三角形状に凹んでいる。
【００１７】
反射部４３は、ハウジング１０の内側に向いたｆ曲面の反射面によってバルブ２０から出射する照明光束の一部を車体側方に向けて反射する。
【００１８】
操作用鍔部４４は、座部４２の両側縁から延設し、座部４２の両側幅より小さい幅とした方形状となっている。
【００１９】
次に、リフレクタ４０のハウジング１０への装着を説明する。
【００２０】
まず、一対の操作用鍔部４４を摘み持って、嵌着部４１の先端を溝部１４の開放口から差し入れると、嵌着部４１の抜止片４１ａの頂点（先端）Ｃが溝部１４のリブ１３側の壁面に、突起座４１ｂの先端が周壁１１側の壁面にそれぞれ弾接されながら嵌着部４１が溝部１４内に押し込まれる。
【００２１】
そして、図４に示すように、リブ１３の先端１３ａに座部４２の裏面が当接することで位置決めがなされるとともに、リフレクタ４０の装着が完了する。
【００２２】
このように、ハウジング１０の溝部１４にリフレクタ４０を装着する際、リフレクタ４０の一対の操作用鍔部４４を摘み持って装着でき、リフレクタ４０の反射部４３は、操作荷重が加らず、反射面（ｆ面）が変形することが無い。
【００２３】
また、座部４２の裏面がリブ１３の先端１３ａに当接して、リフレクタ４０の反射部４３がリブ１３の先端１３ａに位置決めできる。
【００２４】
そして、ハウジング１０の溝部１４の対向間隔Ｌ２より大きい幅Ｌ１を有するリフレクタ４０の嵌着部４１が溝部１４に嵌着しても、一対の補強凹部４１ｃ，補強凹部４２ａによってリフレクタ４０の反射部４３の変形に影響を及ぼすことが無い。
【００２５】
さらに、装着したリフレクタ４０が車両走行時に発生する振動等により溝部１４から抜け出ようとしても、嵌着部４１の抜止片４１ａの頂点（先端）Ｃがリブ１３側の壁面に食い込むため、リフレクタ４０が溝部１４から抜け出ることを防ぐことができる。
【００２６】
【発明の効果】
本発明に係わる車両用灯具は、以上説明したように、リフレクタは、溝部に嵌着される嵌着部と、嵌着部からハウジングの内側に屈曲して溝部を形成する溝部の端面に当接する座部と、座部から前面開口に向けて延在された反射部と、座部から突出された一対の操作用鍔部とを備えているので、安価且つ簡単な構成でありながら、ハウジンクへの組み付け並びに位置決め作業を容易に行い得て、しかも、組み付け作業時の反射部の変形を防止することができる。
【図面の簡単な説明】
【図１】  本発明に係わる車両用灯具の実施の形態を示した要部断面図である。
【図２】  同じく、（ａ）はリフレクタの側面図、（ｂ）はリフレクタの平面図、（ｃ）はリフレクタの右側面図である。
【図３】  図２（ｂ）の断面Ａ−Ａ線に沿う断面図である。
【図４】  リフレクタを装着した状態の説明図である。
【符号の説明】
１…テールストップランプ（車両用灯具）
１０…ハウジング
１１…周壁
１２…後壁
１４…溝部
２０…バルブ
４０…リフレクタ
４１…嵌着部
４２…座部
４３…反射部
４４…操作用鍔部
【図１】
0003832021.tif 000002
【図２】
0003832021.tif 000003
【図３】
0003832021.tif 000004
【図４】
0003832021.tif 000005